(57)【要約】【課題】スイッチレバーをロックオン状態のまま収納した場合に、次の使用時において電源供給状態になった途端に電動工具が動作してしまう問題に対して、従来特別の対策が施されていなかった。本発明では、この問題を解消するための収納ボックスを提供する。【解決手段】蓋４２を閉じるとスイッチ切り換え部材６０が、ロックオン状態のままのスイッチレバー５５に係合してロックオンボタンをアンロック位置に復帰させる構成とする。【選択図】        図６
2006231473.tif 000002
【特許請求の範囲】
【請求項１】
オン位置とオフ位置に移動操作するスイッチレバーと、該スイッチレバーを前記オン位置に移動操作するとオンする起動スイッチと、該起動スイッチがオンすると起動する内蔵モータを備えた電動工具を収納するための収納ボックスであって、
前記電動工具を収納する本体部と、該本体部を閉止する蓋部を備え、前記本体部は、前記電動工具が収容されると前記スイッチレバーに係合して該スイッチレバーを前記オフ位置に移動させるスイッチ切り換え部材を備えた収納ボックス。
【請求項２】
オン位置とオフ位置に移動操作するスイッチレバーと、該スイッチレバーを前記オン位置に移動操作するとオンする起動スイッチと、該起動スイッチがオンすると起動する内蔵モータを備えた電動工具を収納するための収納ボックスであって、
前記電動工具を収納する本体部と、該本体部を閉止する蓋部を備え、前記蓋部は、前記本体部に対して閉止すると、前記本体部に収納した電動工具のスイッチレバーに係合して該スイッチレバーを前記オフ位置に移動させるスイッチ切り換え部材を備えた収納ボックス。
【請求項３】
オン位置とオフ位置に移動操作可能であり、前記オフ位置側に付勢されたスイッチレバーと、該スイッチレバーを前記オン位置に移動操作するとオンする起動スイッチと、前記スイッチレバーを前記付勢力に抗してオン位置にロックし、該ロックオン状態で前記スイッチレバーを再度オン位置側のロックオン解除位置に移動操作すると、前記ロックオン状態を解除するアンロック位置に復帰するロックオンボタンを備えた電動工具を収納するための収納ボックスであって、
前記電動工具を収納すると、前記スイッチレバーに係合して該スイッチレバーを前記ロックオン解除位置に移動させて、前記ロックオンボタンをアンロック位置に復帰させるスイッチ切り換え部材を備えた収納ボックス。
【発明の詳細な説明】
【技術分野】
【０００１】
この発明は、例えば電動ハンマー、電動ねじ締め機や電気ドリル等の主として手持ち式の電動工具を収納する場合に好適な収納ボックスに関する。
【背景技術】
【０００２】
この種の電動工具は、電気コードの電源プラグを電源コンセントに差し込んだ電力供給状態で、スイッチレバーを指先でオン位置に移動操作して起動スイッチをオンさせることにより内蔵した駆動モータを起動して動作させることができる。
スイッチレバーには、オフ位置側にばね付勢等されており、これに抗してオン位置に移動操作した状態でのみ起動スイッチがオンし、スイッチレバーから指先を離して移動操作を止めると当該スイッチレバーがばね付勢力等によってオフ位置に戻され、従って起動スイッチもオフする形態のもの（以下、「タイプI」という）と、オン位置及びオフ位置の双方において位置保持される構成のもの（以下、「タイプII」という）が存在する。
タイプIのスイッチレバーは、例えば手持ち工具としての電気ドリルにおいてハンドル部の基部付近に設けたトリガ形式のスイッチレバーに多く見られる。このタイプIのスイッチレバーの場合、別途設けたロックオンボタンをロック位置に移動操作することによりオン位置に保持され、これにより起動スイッチをオン状態に保持できることから、スイッチレバーの引き操作を止めても、当該電動工具を動作状態に保持することができる。ロックオンボタンによるロックオン状態において、スイッチレバーを再度オン側に移動操作すると、ロックオンボタンがアンロック位置に戻されて起動スイッチひいては当該電動工具のロックオン状態が解除される。
このように上記両タイプのスイッチレバーは、その指先による操作を解除しても、起動スイッチのオン状態を保持させることができ、これによりその使い勝手及び作業性を高めることができる。
【特許文献１】特開２００４−１７４６５５
【発明の開示】
【発明が解決しようとする課題】
【０００３】
このように、上記したいずれかのタイプのスイッチレバーを備えた電動工具によれば、使用者が指先でスイッチレバーをオン位置に保持しなくても起動スイッチのオン状態ひいては当該電動工具の動作状態を保持することができることから、逆にこの動作状態を停止させるには、改めてスイッチレバーをオフ位置に移動操作し、あるいはスイッチレバーを再度オン位置側に移動操作してロックオンボタンをアンロック位置に復帰させればよい。ところが、この動作停止操作について上記のような正しい使い方（スイッチレバーの操作による停止操作）ではなく、起動スイッチがオン状態のまま、電源プラグを電源コンセントから引き抜くことによっても当該電動工具の動作状態を停止させることができる。
このような不正な停止操作により電動工具を停止させ、従って起動スイッチがオン状態のまま保管し、あるいは収納ボックスに収納しておくと、次に当該電動工具を使用する際に電源プラグを電源コンセントに差し込んだ途端に電動工具が不用意に動作するおそれがある。
また、スイッチレバーの操作により電動工具を停止させた後に電源プラグを電源コンセントから引き抜いた後において、当該電動工具の保管時に誤ってスイッチレバーがオン位置側に移動操作されてしまった場合（この場合電源供給がなされていないので当該電動工具は作動しない）においても、上記の場合と同様当該電動工具の不用意な動作を招く。
このようにスイッチレバーが正しく操作されなかったことにより次回の使用時に電動工具の不用意な作動を招くという問題について、従来特別の対策が施されていなかった。
そこで、本発明は、起動スイッチのオン状態で電源プラグを電源コンセントから抜いて停止させた状態のままで収納しても、次に使用する段階では起動スイッチが確実にオフ状態側に切り換わり、その結果電源プラグを電源コンセントに差し込んだ後、改めてスイッチレバーをオン操作しない限り動作しない状態にすることができる収納ボックスを提供することを目的とする。
【課題を解決するための手段】
【０００４】
このため、本発明は特許請求の範囲の各請求項に記載した構成の収納ボックスとした。
請求項１記載の収納ボックスによれば、電動工具を本体部に収納すると、本体部に設けたスイッチ切り換え部材がスイッチレバーに係合し、これにより当該スイッチレバーが収納と同時かつ自動的にオフ位置に移動する。このため、起動スイッチのオン状態で電源プラグを電源コンセントから引き抜いて当該電動工具を停止させた状態のまま本体部に収納してしまった場合、あるいはスイッチレバーの操作により停止させた後に、当該スイッチレバーが誤ってオン位置側に操作されてしまい、そのまま本体部に収納してしまった場合であっても、次に使用するために当該電動工具を本体部から取り出し、然る後に電源プラグを電源コンセントに接続しても、その後改めてスイッチレバーをオン位置に移動操作しない限り、当該電動工具を動作させることができない。このため、従来のように電源プラグを電源コンセントに差し込んだ途端に電動工具が不用意に作動するといったトラブルを未然に防止することができる。
請求項２記載の収納ボックスによれば、電動工具を本体部に収納して蓋を閉じると、蓋に設けたスイッチ切り換え部材がスイッチレバーに係合し、これにより当該スイッチレバーが蓋部を閉じると同時かつ自動的にオフ位置に移動する。このため、起動スイッチのオン状態で電源プラグを電源コンセントから引き抜いて当該電動工具を停止させた状態のまま本体部に収納してしまった場合、あるいはスイッチレバーの操作により停止させた後に、当該スイッチレバーが誤ってオン位置側に操作されてしまい、そのまま本体部に収納してしまった場合であっても、次に使用するために当該電動工具を本体部から取り出し、然る後に電源プラグを電源コンセントに差し込んでも、その後改めてスイッチレバーをオン位置に移動操作しない限り、当該電動工具を動作させることができない。このため、従来のように電源プラグを電源コンセントに差し込んだ途端に電動工具が不用意に動作するといったトラブルを未然に防止することができる。
請求項１及び請求項２記載の収納ボックスは、それぞれ前記タイプIIのスイッチレバー、すなわちオン位置及びオフ位置の双方において位置保持される形態のものであって主としてスライド式のスイッチレバーについて適用することにより上記の作用効果を得ることができる。
【０００５】
次に、請求項３記載の収納ボックスによれば、ロックオンボタンによりスイッチレバーをオン位置に保持したロックオン状態のまま電源プラグを電源コンセントから引き抜いて電動工具を停止させた場合、あるいはロックオン状態を解除してスイッチレバーの操作により電動工具を停止させた後、誤ってスイッチレバーがロックオン状態になってしまった場合に、そのまま電動工具を収納すると、スイッチ切り換え部材がスイッチレバーに係合して該スイッチレバーをオン位置側のロックオン解除位置に移動させる。スイッチレバーがロックオン解除位置に移動すると、ロック位置に保持されているロックオンボタンがアンロック位置に復帰して当該スイッチレバーのロックオン状態が解除される。このため、その後電動工具を当該収納ボックスから取り出すと、スイッチ切り換え部材によるスイッチレバーの係合状態が解除されて当該スイッチレバーがオフ位置に復帰し、従って起動スイッチがオフ状態になることから、従来のように電源プラグを電源コンセントに差し込んだ途端に電動工具が不用意に動作するといったトラブルを未然に防止することができる。
なお、スイッチレバーをオフ位置に位置させた状態（正常な状態）で収納した場合には、スイッチ切り換え部材により当該スイッチレバーが一旦オン位置側に移動されるが、ロックオンボタンは操作されないことから、電動工具を収納ボックスから取り出してスイッチ切り換え部材による係合状態が解除された時点で、スイッチレバーはオフ位置側に戻される。
請求項３記載の収納ボックスは、前記タイプIのスイッチレバー、すなわちばね付勢力等に抗してオン位置に移動操作した状態でのみ起動スイッチがオンし、スイッチレバーから指先を離して移動操作を止めると当該スイッチレバーがばね付勢力等によりオフ位置に戻され、従って起動スイッチがオフする形態のものであって主としてトリガ形式のスイッチレバーについて適用することにより上記の作用効果を得ることができる。
また、請求項３記載の収納ボックスにおいて、スイッチ切り換え部材は、本体部又は蓋部のいずれか一方に設けることができる。
【発明を実施するための最良の形態】
【０００６】
次に、本発明の実施形態を図１〜図６に基づいて説明する。図１及び図２は、第１実施形態の収納ボックス１を示している。この第１実施形態の収納ボックス１には、前記タイプIのスイッチレバー２０を備えた電動工具１０が収納される。先ず、この電動工具１０について説明する。この電動工具１０は、手持ち式としては比較的大型の電動ハンマーであって、ハンマー機構（図示省略）を内蔵した本体部１１を備えている。本体部１１の後部に電動の駆動モータ１２が内蔵されている。駆動モータ１２の軸線は、本体部１１の機軸に対して直交している。駆動モータ１２の後ろ側にＤ形のハンドル部１３が設けられている。また、本体部１１の先端側には、補助ハンドル部１４が側方へ突き出す状態に設けられている。駆動モータ１２を駆動源とするハンマードリルの基本的な打撃動作及びそのための構成については従来公知のものを特に変更することなくそのまま適用可能であるので、その説明及び図示を省略する。
ハンドル部１３の上部に上記スイッチレバー２０が設けられている。このスイッチレバー２０は、本体部１１の機軸方向に直交する方向（図１において上下方向、図２において紙面に直交する方向）に一定の範囲でスライド操作可能に設けられている。このスイッチレバー２０の前側（図１において右側）には、起動スイッチ２１が内蔵されている。この起動スイッチ２１は、操作棒２１ａを備えている。この操作棒２１ａは、スイッチレバー２０に設けたＶ字形の係合溝部２０ａ内に進入している。このため、図１に示すようにスイッチレバー２０を上側（当該電動工具１０を把持した使用者から見て左側）にスライド操作すると、操作棒２１ａが図示上側に傾倒され、これにより起動スイッチ２１がオフする。このオフ位置では、当該スイッチレバー２０の使用者から見て左端部側（図１において上端部側）が、ハンドル部１３の上部左側面に設けた操作凹部１３ａ内に突き出された状態となる。起動スイッチ２１がオフすると、駆動モータ１２の電源回路が遮断され、従って駆動モータ１２が停止する。
【０００７】
これに対して操作凹部１３ａ内に突き出されたスイッチレバー２０の左端部を指先で押し込んで、当該スイッチレバー２０をこのオフ位置からオン位置側にスライド操作すると、起動スイッチ２１の操作棒２１ａがオン側（図１において下側）に傾倒されて当該起動スイッチ２１がオンされる。スイッチレバー２０をオン位置にスライド操作すると、その右端部がハンドル部１３の上部右側面に設けた操作凹部１３ｂ内に突き出された状態となる。起動スイッチ２１がオンされると、電源回路が導通されて駆動モータ１２が起動する。
スイッチレバー２０はオン位置とオフ位置の双方においてそれぞれ位置保持される。このため、一旦スイッチレバー２０の左端部を指先で押してオン側にスライド操作した後、指先を当該スイッチレバー２０から離しても、このスイッチレバー２０はオン位置に保持され、従って起動スイッチ２１がオン状態に保持されて駆動モータ１２が起動状態に保持され、ひいては当該本体部１１が動作状態に保持される。逆に、スイッチレバー２０の右端部を指先で押してオフ側にスライド操作した後、指先を当該スイッチレバー２０から離しても、スイッチレバー２０はオフ位置に保持され、従って起動スイッチ２１がオフ状態に保持されて駆動モータ１２が停止状態に保持され、ひいては本体部１１が停止状態に保持される。
図２に示すようにハンドル部１３の下部からは、電源コード１５が引き出されている。この電源コード１５の先端には電源プラグ１６が設けられている。この電源プラグ１６を電源コンセント（図示省略）に差し込めば電源回路に電源が供給される。この電源供給状態で、上記したようにスイッチレバー２０をオン位置側にスライド装置すると駆動モータ１２が起動する。
【０００８】
次に、第１実施形態の収納ボックス１は、上方開放の矩形の箱体をなす本体部２と、この本体部２の側部にヒンジ部３〜３を介して連結されて上下に回動させることにより本体部２の開口部を開閉する蓋部４を備えている。本体部２の内部には、当該電動工具１０を一定の位置にガタツキなく収容するための位置決め壁部８，９が設けられている。
図３には、電動工具１０を収容していない状態の本体部２が示されている。図示するように本体部２の底部２ａであって、収容する電動工具のスイッチレバー２０に対向する部位には、スイッチ切り換え部材５が設けられている。このスイッチ切り換え部材５は、本体部２の底部２ａから当該本体部２の開口部に向かって柱状に延びる状態に設けられている。このスイッチ切り換え部材５に対向して、蓋部４には、押さえ部材６が設けられている。スイッチ切り換え部材５と押さえ部材６の相互の対向面には、それぞれ弾性ゴム５ａ，６ａが取り付けられている。電動工具１０が本体部２内に収納され、かつ蓋部４が本体部２に閉じられた状態（図１に示す状態）では、スイッチレバー２０の右側部にスイッチ切り換え部材５が突き当てられ、左側部に押さえ部材６が突き当てられた状態となる。スイッチ切り換え部材５は弾性ゴム５ａを当接させた状態でスイッチレバー２０の左側部に突き当てられ、押さえ部材６は弾性ゴム６ａを当接させた状態でスイッチレバー２０の右側部に突き当てられる。
【０００９】
しかも、スイッチ切り換え部材５の本体部２の底部２ａからの高さ寸法Ｈ1は、スイッチレバー２０をオフ位置に保持した状態で当該電動工具１０を本体部２に収容した時に、スイッチレバー２０の右側部（図１において下面）に弾性ゴム５ａが当接することとなる寸法に設定されている。このため、仮にスイッチレバー２０をオン位置に位置させたまま当該電動工具１０を本体部２に収納すると、スイッチレバー２０がスイッチ切り換え部材５に載せ掛けられて相対的に上方へ押されることによりスイッチレバー２０の位置がオン位置からオフ位置に自動的に切り換えられる。
これに対して、蓋部４に設けた押さえ部材６の当該蓋部４の底部４ａからの高さ寸法Ｈ2は、スイッチレバー２０がオフ位置に位置する状態において、その左側部に弾性ゴム６ａが当接することとなる寸法に設定されている。このため、スイッチレバー２０をオフ位置に位置させた状態で当該電動工具１０を本体部２内に収納し、さらに蓋部４を閉じると、スイッチレバー２０がスイッチ切り換え部材５と押さえ部材６とにより両側から挟み込まれた状態となり、従ってスイッチレバー２０がオフ位置において移動不能に位置固定された状態となる。
【００１０】
以上のように構成した第１実施形態の収納ボックス１によれば、本体部２には、収納する電動工具１０のスイッチレバー２０の位置に合わせてスイッチ切り換え部材５が設けられている。このスイッチ切り換え部材５の本体底部２ａからの高さ寸法Ｈ1は、スイッチレバー２０をオフ位置に移動させ得る高さに設定されている。このため、仮にスイッチレバー２０をオン位置に位置させた状態のまま電動工具１０を本体部２内に収納すると、スイッチレバー２０がこのスイッチ切り換え部材５に乗り上げられることにより相対的に上方（蓋部４側）へ押され、これにより当該スイッチレバー２０がオン位置からオフ位置に自動的に切り換えられる。
このように、第１実施形態の収納ボックス１によれば、オン位置及びオフ位置の双方において位置保持されるタイプIのスイッチレバー２０を備えた電動工具１０を収納する場合に、スイッチレバー２０がオン位置に位置した状態のままであっても収納されることによりこれが自動的にオフ位置に切り換えられるので、その後当該電動工具１０を収納ボックス１から取り出して使用する場合に、電源プラグ１６を電源コンセントに差し込んだ途端に作動し始めるといったトラブルを未然に回避することができる。
また、スイッチ切り換え部材５と押さえ部材６によってスイッチレバー２０が両側から挟み込まれることから、当該収納ボックス１に振動や衝撃が加えられた場合であってもスイッチレバー２０をオフ位置に確実に位置させておくことができる。
【００１１】
以上説明した第１実施形態には種々変更を加えることができる。例えば、第１実施形態では、本体部２に収納した状態でスイッチレバー２０の位置について図１において下側（本体底部２ａ側、当該電動工具１０を把持した使用者から見て右側）がオン位置であり、図１において上側（蓋底部４ａ側、当該電動工具１０を把持した使用者から見て左側）がオフ位置となる向きで収納する電動工具１０を例示したが、これとは逆に本体部３１に収納した状態でスイッチレバー２２の位置について図４に示すように本体底部３１ａ側がオフ位置であり、蓋部３２の底部３２ａ側がオン位置となる向きで収納する電動工具３５の場合には、蓋部３２側にスイッチ切り換え部材３３を設けることにより同様の作用効果を得ることができる。この第２実施形態に係る収納ボックス３０が図４に示されている。
この第２実施形態の収納ボックス３０に収納される電動工具３５は、スイッチレバー２２を操作する方向が前記電動工具１０とは逆であって、当該電動工具３５を把持した使用者から見てスイッチレバー２２を左側にスライド操作すると、スイッチレバー２２の係合溝部２２ａに係合する操作棒２３ａが左側（図４において上側）に傾倒して起動スイッチ２３がオンし、右側にスライド操作すると操作棒２３ａが右側（図４において下側）に傾倒して起動スイッチ２３がオフする構成を備えている。このため、この第２実施形態ではスイッチ切り換え部材３３が第１実施形態とは異なって蓋部３２側に設けられている。
この第２実施形態の収納ボックス３０は、第１実施形態と同様上方開放の矩形箱体をなし、当該電動工具３５を一定に位置に収納するための位置決め壁部（図示省略）が底部３１ａに設けられた本体部３１と、この本体部３１に対して第１実施形態と同様のヒンジ部を介して開閉可能に設けた蓋部３２を備えており、この蓋部３２の底部３２ａにスイッチ切り換え部材３３が本体部３１側に延びる状態に設けられている。このスイッチ切り換え部材３３の蓋部３２の底部３２ａからの高さ寸法Ｈ3は、図４に示すようにその先端部の弾性ゴム３３ａが蓋部３２を閉じた状態において、オフ位置に位置するスイッチレバー２２の左側面（図４において上面）にちょうど当接することとなる寸法に設定されている。
上記スイッチ切り換え部材３３に対向して、本体部３１の底部３１ａには押さえ部材３４が設けられている。すなわち、この第２実施形態では、スイッチ切り換え部材３３と押さえ部材３４の位置が、第１実施形態とは逆になっている。押さえ部材３４の本体底部３１ａからの高さ寸法Ｈ4は、スイッチ切り換え部材３３とによりスイッチレバー２２を左右両側から挟み込むに足る寸法に設定されている。また、この押さえ部材３４の先端にも弾性ゴム３４ａが取り付けられている。
【００１２】
このように構成した第２実施形態の収納ボックス３０によれば、蓋部３２には、本体部３１内の一定位置に収納される電動工具３５のスイッチレバー２２の位置に合わせてスイッチ切り換え部材３３が設けられている。このスイッチ切り換え部材３３の蓋部３２の底部３２ａからの高さ寸法Ｈ3は、スイッチレバー２２をオフ位置に移動させ得る高さに設定されている。このため、仮にスイッチレバー２２をオン位置に位置させた状態のまま電動工具３５を本体部３１内に収納し、然る後に蓋部３２を本体部３１に対して閉じると、その全閉直前の段階においてスイッチレバー２２の左側端部（図４において上端部）にスイッチ切り換え部材３３が当接し、この当接状態のまま当該蓋部３２の閉止動作に伴ってスイッチレバー２２がスイッチ切り換え部材３３に押されてオフ位置に自動的に切り換えられる。
このように、第２実施形態の収納ボックス３０によっても、オン位置及びオフ位置の双方において位置保持されるタイプIのスイッチレバー２２であって前記第１実施形態に係るスイッチレバー２０とはオン位置及びオフ位置に関して操作方向が逆であるスイッチレバー２２を備えた電動工具３５を収納する場合に、スイッチレバー２２がオン位置に位置した状態のままであっても収納されることによりこれが自動的にオフ位置に切り換えられるので、その後当該電動工具３５を収納ボックス３０から取り出して使用する場合に、電源プラグ（図示省略）を電源コンセントに差し込んだ途端に作動し始めるといったトラブルを未然に回避することができる。
また、この第２実施形態の収納ボックス３０によっても、オフ位置に切り換えられたスイッチレバー２２がスイッチ切り換え部材３３と押さえ部材３４によって両側から挟み込まれた状態となるので、当該収納ボックス３０に振動や衝撃が加えられた場合であってもスイッチレバー２２を確実にオフ位置に位置させておくことができる。
以上例示した第１実施形態に係る収納ボックス１が特許請求の範囲の請求項１に記載した発明の実施形態に該当し、第２実施形態に係る収納ボックス３０が請求項２に記載した発明の実施形態に該当する。
両実施形態において、スイッチ切り換え部材５，３３及び押さえ部材６，３４は、それぞれ本体部２，３１、蓋部４，３２に一体に設ける構成とする他、別体により用意したものを所定の部位に取り付ける構成としてもよい。弾性ゴム５ａ，６ａ，３３ａ，３４ａは省略することができる。
また、両実施形態において、押さえ部材６，３４は省略することができる。
【００１３】
次に、図５及び図６には第３実施形態に係る収納ボックス４０が示されている。この第３実施形態は特許請求の範囲の請求項３に記載した発明の実施形態に相当する。
この第３実施形態の収納ボックス４０に収納される電動工具５０（電動ねじ締め機）は、前記したタイプIIのスイッチレバー５５を備えている。すなわち、図５に示すようにこの電動工具５０は孔開け加工用の電動ドリルであって、電動の駆動モータ５３を内蔵した本体部４１と、この本体部５１の後部から側方へ突き出すように設けられたハンドル部５２を備えている。駆動モータ５３を駆動源とする当該電動工具５０の基本的な機構については従来公知であり、本実施形態において特に変更を要しないのでその説明及び図示を省略する。
ハンドル部５２の基部付近には、トリガ形式のスイッチレバー５５が配置されている。このスイッチレバー５５は、図５中二点鎖線で示すオフ位置から実線で示すオン位置に移動操作することにより、その後方に配置した起動スイッチ５６をオンさせることができる。起動スイッチ５６がオンすると駆動モータ５３が起動して図示省略したスピンドルが回転し、これにより当該電動工具１を孔開け加工に用いることができる。
スイッチレバー５５は、図示省略したばねによってオフ位置側に付勢されている。このため、使用者が指先でこのスイッチレバー５５をオン位置に移動操作した後、指先を離すとばねの付勢力によってオフ位置に戻される。
このスイッチレバー５５は、ロックオンボタン５７をロック位置に押し込み操作することによってオン位置に保持（ロックオン）することができる。このロックオンボタン５７及びその機能は従来公知の技術であり、本実施形態において特に変更を要しない。
【００１４】
このロックオンボタン５７は、ハンドル部５２の長手方向中央の側面（使用者から見て左側面）に配置されている。このロックオンボタン５７は、ハンドル部５３の側面から突き出す位置（アンロック位置）とほぼ突き出さない位置（押し込まれた位置、ロック位置）との間を移動可能に設けられており、ばねによってアンロック位置側に付勢されている。
指先でスイッチレバー５５をオン位置に移動操作し、このオン位置を保持した状態でロックオンボタン５７を押し込み操作すると、スイッチレバー５５とロックオンボタン５７が相互に係合されて当該ロックオンボタン５７がロック位置に保持されるとともにスイッチレバー５５がオン位置にロックされ（ロックオン状態）、従ってその後スイッチレバー５５から指先を離してもスイッチレバー５５はオン位置に保持される。スイッチレバー５５から指先を離してもオン位置に保持されるので、孔開け加工等の便宜を図ることができ、当該電動工具５０の使い勝手が向上する。
スイッチレバー５５のロックオン状態は、オン位置に保持されたスイッチレバー５５を指先で再度オン位置側（ロックオン解除位置）に押すことにより解除することができる。すなわち、このロックオン状態において、オン位置に保持されているスイッチレバー５５を、指先でさらにロックオン解除位置まで移動操作すると当該スイッチレバー５５のロックオンボタン５７に対する係合状態が解除されて、ロックオンボタン５７のロック位置でのロック状態が解除され、従ってロックオンボタン５７がばね付勢力によってハンドル部５２の側方へ突き出すアンロック位置に戻されてスイッチレバー５５のロックオン状態が解除される。こうしてロックオン状態が解除された後に、スイッチレバー５５から指先を離せば、当該スイッチレバー５５はばね付勢力によってオフ位置に戻され、従って起動スイッチ５６がオフして駆動モータ５３が停止する。
【００１５】
以上説明したようにタイプIIのスイッチレバー５５を備えた電動工具５０は収納ボックス４０の本体部４１に収納される。本体部４１は、前記第１実施形態と同様、上方開放の矩形箱形をなすもので、その一端部にはヒンジ部４３〜４３を介して蓋部４２が設けられている。この蓋部４２によって本体部４１が開閉される。また、本体部４１の底部４１ａには、前記第１、第２実施形態と同様、電動工具５０を一定の位置に収容するための位置決め壁部４４，４５が設けられている。
図６に示すように蓋部４２の底部４２ａ（本体部４１に対向する側）であって、本体部４１に収納した電動工具５０のスイッチレバー５５に対応する部位には、丸棒形状のスイッチ切り換え部材６０が設けられている。この第３実施形態のスイッチ切り換え部材６０は、蓋部４２の底部４２ａに設けた支持柱部４２ｂの先端に取り付けられている。図示するように、スイッチ切り換え部材６０は、その先端側ほどスイッチレバー５５から離れる方向（図６において左側）に傾斜した状態に取り付けられている。
このため、本体部４１に対して蓋部４２を閉じると、全閉状態の直前の段階において、スイッチ切り換え部材６０がスイッチレバー５５に当接し、その後スイッチレバー５５に対してこのスイッチ切り換え部材６０が摺接されることにより、当該スイッチレバー５５がばね付勢力に抗してオン位置側に移動し、最終的に蓋部４２が全閉された状態で、スイッチレバー５５はオン位置からさらに押し込まれたロックオン解除位置まで移動する。図６はこの状態を示している。
なお、スイッチレバー５５がスイッチ切り換え部材６０によってオン位置及びロックオン解除位置に移動すると起動スイッチ５６がオンするが、当該電動工具５０の収納状態では電源コード５８の電源プラグ５９が電源コンセントに接続されていない（電源供給状態ではない）ので、駆動モータ５３は起動せず、従って当該電動工具５０は動作しない。
その後蓋部４２を開けると、スイッチ切り換え部材６０がスイッチレバー５５から離れることにより、当該スイッチレバー５５はそのばね付勢力によってオフ位置に戻される。
【００１６】
以上のように構成した第３実施形態の収納ボックス４０によれば、蓋部４２を閉じるとスイッチレバー５５がロックオン解除位置まで強制的に移動されるので、仮にスイッチレバー５５をロックオン状態のままで電源プラグ５９を電源コンセントから引き抜いて当該電動工具５０を停止させ、そのまま当該電動工具５０を本体部４１に収納した場合、あるいはロックオン状態を解除してスイッチレバー５５の操作により電動工具５０を停止させた後、誤操作によりスイッチレバー５５が再びロックオン状態になってしまった場合にそのまま本体部４１に収納しても、蓋部４２を閉じた時点でスイッチレバー５５がロックオン解除位置に移動してロックオンボタン５７が図中二点鎖線で示すアンロック位置（実線はロック位置を示している。）に復帰し、これにより当該ロックオン状態は解除された状態となる。このため、その後蓋部４２を開けることにより、スイッチレバー５５からスイッチ切り換え部材６０が遠ざかると、当該スイッチレバー５５がそのばね付勢力によってオフ位置に戻される。
このため、従来のように電源プラグを電源コンセントに差し込んだ途端に電動工具５０が不用意に動作するといったトラブルを未然に防ぐことができる。
なお、スイッチレバー５５をオフ位置に位置させた正常な状態で収納した場合にも、スイッチ切り換え部材６０により当該スイッチレバー５５が一旦オン位置側（ロックオフ解除位置）に移動されるが、ロックオンボタン５７は押し込み操作されない（ロックオン状態は発生しない）ことから、この場合も蓋部４２を開けた時点でスイッチレバー５５はオフ位置に戻される。
以上説明した第３実施形態にも種々変更を加えることができる。例えば、蓋部４２にスイッチ切り換え部材６０を設ける構成を例示したが、本体部４１に同様の機能を有するスイッチ切り換え部材を設ける構成としてもよい。
以上説明した各実施形態では電動工具として電動ハンマー、電動ねじ締め機を例示したが、本発明は、電動丸鋸、ジグソー、レシプロソー等の往復動切断機であって例示した形態のスイッチレバーを備えるその他の電動工具の収納ボックスに広く適用することができる。
【図面の簡単な説明】
【００１７】
【図１】本発明の第１実施形態に係る収納ボックスの縦断面図である。本図は、収納ボックスに電動工具を収納した状態を当該電動工具の上面側から見た断面図である。
【図２】電動工具を収納して、蓋部を開けた状態の本体部の平面図である。
【図３】電動工具を収納していない状態の本体部の平面図である。
【図４】本発明の第２実施形態に係る収納ボックスの縦断面図である。本図は、収納ボックスに電動工具を収納した状態を当該電動工具の上面側から見た断面図である。
【図５】本発明の第３実施形態に係る収納ボックを示す図であって、電動工具を収納した本体部の平面図である。
【図６】第３実施形態の収納ボックスの一部の縦断面図である。本図は、スイッチレバーに対するスイッチ切り換え部材の係合状態を示している。
【符号の説明】
【００１８】
１…収納ボックス（第１実施形態）
２…本体部、２ａ…底部
４…蓋部
５…スイッチ切り換え部材
６…押さえ部材
１０…電動工具
１３…ハンドル部
１５…電源コード
１６…電源プラグ
２０…スイッチレバー（第１実施形態、タイプI）
２１…起動スイッチ（第１実施形態）
２２…スイッチレバー（第２実施形態、タイプI）
２３…起動スイッチ（第２実施形態）
３０…収納ボックス（第２実施形態）
３１…本体
３２…蓋部
３３…スイッチ切り換え部材
３４…押さえ部材
３５…電動工具
４０…収納ボックス（第３実施形態）
４１…本体部
４２…蓋部
５０…電動工具
５２…ハンドル部
５５…スイッチレバー（第３実施形態、タイプII）
５６…起動スイッチ（第３実施形態）
５７…ロックオンボタン
５８…電源コード
６０…スイッチ切り換え部材
【図１】
2006231473.tif 000003
【図２】
2006231473.tif 000004
【図３】
2006231473.tif 000005
【図４】
2006231473.tif 000006
【図５】
2006231473.tif 000007
【図６】
2006231473.tif 000008